(57)【特許請求の範囲】
【請求項１】
循環ポンプで浴槽の浴水を風呂戻り経路で加熱手段に輸送し、加熱した前記浴水を風呂往き経路で前記浴槽に輸送する強制循環式風呂釜装置の前記風呂戻り経路に設けられた風呂戻り温度センサの異常診断方法において、
前記強制循環式風呂釜装置の運転中、予め設定した判定時間後に前記風呂戻り温度センサで測定した前記浴水の温度の上昇が所定温度未満である場合には前記加熱手段及び前記循環ポンプの運転を中断し、予め設定した待ち時間経過後に、前記風呂往き経路に設けられた風呂往き温度センサで測定した前記浴水の温度と前記風呂戻り温度センサで測定した前記浴水の温度との温度差を求めて、前記温度差が予め設定した基準温度差を超えた場合は前記風呂戻り温度センサを異常と診断して前記強制循環式風呂釜装置の運転を終了させ、前記温度差が前記基準温度差以下の場合は前記風呂戻り温度センサを正常と判断して前記加熱手段及び前記循環ポンプの運転を再開することを特徴とする風呂戻り温度センサの異常診断方法。
【請求項２】
循環ポンプで浴槽の浴水を風呂戻り経路で加熱手段に輸送し、加熱した前記浴水を風呂往き経路で前記浴槽に輸送する強制循環式風呂釜装置の前記風呂戻り経路に設けられた風呂戻り温度センサの異常診断方法において、
前記強制循環式風呂釜装置の運転中、予め設定した判定時間後に前記風呂戻り温度センサで測定した前記浴水の温度の上昇が所定温度未満である場合には前記加熱手段の運転を中断し、前記循環ポンプを予め設定したポンプ駆動時間運転しながら予め設定した待ち時間経過後に、前記風呂往き経路に設けられた風呂往き温度センサで測定した前記浴水の温度と前記風呂戻り温度センサで測定した前記浴水の温度との温度差を求めて、前記温度差が予め設定した基準温度差を超えた場合は前記風呂戻り温度センサを異常と診断して前記強制循環式風呂釜装置の運転を終了させ、前記温度差が前記基準温度差以下の場合は前記風呂戻り温度センサを正常と判断して前記加熱手段及び前記循環ポンプの運転を再開することを特徴とする風呂戻り温度センサの異常診断方法。
【発明の詳細な説明】
【０００１】
【発明の属する技術分野】
本発明は、強制循環式風呂釜装置の運転中に実施する風呂戻り温度センサの異常診断方法に関する。
【０００２】
【従来の技術】
循環ポンプで吸い込んだ浴槽内の浴水を風呂戻り経路を介して加熱手段に到達させて加熱し、加熱した浴水を風呂往き経路を介して浴槽に吐き出すことが繰り返されて浴槽中の浴水を所定の温度まで加熱する強制循環式風呂釜装置では、風呂戻り経路に風呂戻り温度センサが、風呂往き経路に風呂往き温度センサがそれぞれ設けられている。各温度センサからの出力信号は、加熱手段の運転を制御する制御手段の温度制御部に入力されており、各温度センサが、例えば、断線して出力信号が温度制御部に入力されない状態になった場合は、温度制御部は温度センサを異常と判断して強制循環式風呂釜装置の運転操作盤に温度センサ異常を表示していた。
【０００３】
【発明が解決しようとする課題】
しかしながら、温度センサが劣化したり、ショートしたり、誤配線されたりした場合では、温度センサからは信号が出力されて温度制御部に入力されるため、温度制御部では温度センサの異常を検知できないことになる。特に風呂戻り温度センサの出力値が、浴水を加熱する際に設定される沸き上げ温度以下で固定もしくはほとんど変化しない状態になった場合、温度制御部では正確な浴水の温度の検出ができない状態となる。この場合、強制循環式風呂釜装置に設けられた安全手段が作動して加熱手段の運転を停止させるが、安全手段が作動するまで加熱手段による加熱が継続されて浴水の温度は高温になってしまう。
本発明はかかる事情に鑑みてなされたもので、風呂戻り温度センサの異常を浴水加熱中に検知して浴水が高温に加熱されることを防止できる風呂戻り温度センサの異常診断方法を提供することを目的とする。
【０００４】
【課題を解決するための手段】
前記目的に沿う第１の発明に係る風呂戻り温度センサの異常診断方法は、循環ポンプで浴槽の浴水を風呂戻り経路で加熱手段に輸送し、加熱した前記浴水を風呂往き経路で前記浴槽に輸送する強制循環式風呂釜装置の前記風呂戻り経路に設けられた風呂戻り温度センサの異常診断方法において、前記強制循環式風呂釜装置の運転中、予め設定した判定時間後に前記風呂戻り温度センサで測定した前記浴水の温度の上昇が所定温度未満である場合には前記加熱手段及び前記循環ポンプの運転を中断し、予め設定した待ち時間経過後に、前記風呂往き経路に設けられた風呂往き温度センサで測定した前記浴水の温度と前記風呂戻り温度センサで測定した前記浴水の温度との温度差を求めて、前記温度差が予め設定した基準温度差を超えた場合は前記風呂戻り温度センサを異常と診断して前記強制循環式風呂釜装置の運転を終了させ、前記温度差が前記基準温度差以下の場合は前記風呂戻り温度センサを正常と判断して前記加熱手段及び前記循環ポンプの運転を再開する。
【０００５】
強制循環式風呂釜装置の運転中は、循環ポンプで吸い込まれた浴槽の浴水が風呂戻り経路を通って加熱手段に到達して加熱され、高温になった（例えば、浴槽から吸い込まれた際の浴水温度に対して２０〜３０℃温度上昇した）浴水が風呂往き経路を通って浴槽に吐き出されることが繰り返されて、浴槽中の浴水の平均温度が上昇していく。このため、風呂戻り経路に設けられた風呂戻り温度センサにより測定される浴水の温度は、強制循環式風呂釜装置の運転時間の経過と共に上昇していく。このときの単位時間当たりの温度上昇は、加熱手段において単位時間に供給される発熱量、循環ポンプにより循環させる単位時間当たりの浴水量、加熱手段に流入する浴水温度、加熱手段における熱伝達率等から推定することができるため、所定の時間経過後の浴水温度を予測することができる。従って、浴水温度の上昇を確認するために判定時間を設定して、この判定時間経過後に風呂戻り温度センサで測定した浴水の温度と、予測した判定時間経過後の浴水温度を比較することで、加熱手段による加熱が正常に行われているかの判定を行うことができる。
【０００６】
ここで、加熱手段において単位時間に供給される発熱量、循環ポンプにより循環させる単位時間当たりの浴水量の制御が正常に行われているとき、判定時間後に風呂戻り温度センサで測定される浴水の温度が予測温度よりも低い場合、すなわち、判定時間経過後の風呂戻り温度センサで測定される浴水の温度の上昇が所定温度（判定時間経過後の浴水の予測温度と判定時間の起点となった時点での浴水の温度との差）未満であれば、風呂戻り温度センサが異常である可能性が高いと判断できる。ここで、判定時間としては３分以上とすることができ、この判定時間に対応する所定温度としては０．６〜１．４℃となる。判定時間を３分以上としたのは、３分未満では浴水の温度上昇が小さく、判定時間経過後の浴水の予測温度と判定時間の起点となった時点での浴水の温度との間に常に明瞭な差が生じないためである。なお、具体的な判定時間は、加熱手段の発熱量、浴槽の容量により変わるので、個々に決定する必要がある。
【０００７】
風呂戻り温度センサが異常である可能性が高いと判断した場合、加熱手段及び循環ポンプの運転を中断する。加熱手段及び循環ポンプが停止しても、加熱手段の残熱で停止直後は浴水の加熱が生じるが、時間の経過と共に加熱も少なくなる。そして、浴水は自然対流で浴槽と加熱手段の間を循環するので、風呂往き経路に設けられた風呂往き温度センサで測定された浴水の温度と風呂戻り経路に設けられた風呂戻り温度センサで測定された浴水の温度は徐々に接近してくる。そして、風呂戻り経路、風呂往き経路、加熱手段の構造から、自然対流の効果で風呂往き温度センサで測定された浴水の温度と、風呂戻り温度センサで測定された浴水の温度がそれぞれどのくらいの変化速度で変化するのかを推定することができる。従って、予め設定された待ち時間経過後、風呂往き温度センサで測定された浴水の温度と、風呂戻り温度センサで測定された浴水の温度がそれぞれ何度になるかの上限及び下限を予測できる。
【０００８】
このため、待ち時間経過後における風呂往き温度センサで測定された浴水の温度と風呂戻り温度センサで測定された浴水の温度との間の温度差は、各温度の上限と下限から決まる温度差以下になる。ここで、各温度の上限と下限から決まる最大の温度差を基準温度差とすると、自然対流が正常に発生している場合では、実際に得られる温度差は基準温度差以下となる。
従って、待ち時間経過後の風呂往き温度センサで測定された浴水の温度と風呂戻り温度センサで測定された浴水の温度との間の温度差が基準温度差以下であれば、浴水の温度は正常に測定されていると考えられ、風呂戻り温度センサは正常であると診断できる。このときは、加熱手段及び循環ポンプの運転を再開する。
一方、待ち時間経過後の風呂往き温度センサで測定された浴水の温度と風呂戻り温度センサで測定された浴水の温度との間の温度差が待ち時間経過後に予測することができる基準温度差を超えていれば、浴水の温度は正常に測定されていないと考えられ、風呂戻り温度センサは異常であると診断できる。このときは、加熱手段で制御された加熱ができないため、強制循環式風呂釜装置の運転を終了させる。ここで、待ち時間は、例えば２０〜３０分とすることができ、２０〜３０分間の待ち時間に対応する基準温度差としては７〜３℃となる。待ち時間を２０分以上としたのは、２０分未満では自然対流で加熱手段の残熱による影響を除去することができないためである。また、待ち時間を３０分以下としたのは、３０分を超えて待ち時間を設けても風呂往き温度センサの温度と風呂戻り温度センサの温度の変化はいずれも小さくなって、温度差としての変化に大きく影響しなくなるためである。
【０００９】
前記目的に沿う第２の発明に係る風呂戻り温度センサの異常診断方法は、循環ポンプで浴槽の浴水を風呂戻り経路で加熱手段に輸送し、加熱した前記浴水を風呂往き経路で前記浴槽に輸送する強制循環式風呂釜装置の前記風呂戻り経路に設けられた風呂戻り温度センサの異常診断方法において、前記強制循環式風呂釜装置の運転中、予め設定した判定時間後に前記風呂戻り温度センサで測定した前記浴水の温度の上昇が所定温度未満である場合には前記加熱手段の運転を中断し、前記循環ポンプを予め設定したポンプ駆動時間運転しながら予め設定した待ち時間経過後に、前記風呂往き経路に設けられた風呂往き温度センサで測定した前記浴水の温度と前記風呂戻り温度センサで測定した前記浴水の温度との温度差を求めて、前記温度差が予め設定した基準温度差を超えた場合は前記風呂戻り温度センサを異常と診断して前記強制循環式風呂釜装置の運転を終了させ、前記温度差が前記基準温度差以下の場合は前記風呂戻り温度センサを正常と判断して前記加熱手段及び前記循環ポンプの運転を再開する。
【００１０】
風呂戻り温度センサが異常である可能性が高いと判断した場合、加熱手段の運転は中断し、循環ポンプは予め設定した駆動時間、例えば３０秒運転した後運転を中断する。循環ポンプを運転することにより、浴水が浴槽と加熱手段の間を強制循環するので、加熱手段の残熱を短時間に除去することができる。その結果、加熱手段の運転を中断してから予め設定した待ち時間、例えば３０秒〜１分経過すれば、風呂往き経路に設けられた風呂往き温度センサで測定された浴水の温度の時間変化と、風呂戻り経路に設けられた風呂戻り温度センサで測定された浴水の温度の時間変化はいずれも小さくなる。このため、風呂往き温度センサで測定される浴水の温度と、風呂戻り温度センサで測定される浴水の温度との温度差を求めると、その温度差の時間変化も小さくなる。従って、この温度差と基準温度差を比較することにより風呂戻り温度センサの異常を診断することができる。
【００１１】
【発明の実施の形態】
続いて、添付した図面を参照しつつ、本発明を具体化した実施の形態につき説明し、本発明の理解に供する。
ここに、図１は本発明の第１及び第２の実施の形態に係る風呂戻り温度センサの異常診断方法を適用した風呂設備の全体構成ブロック図、図２は本発明の第１の実施の形態に係る風呂戻り温度センサの異常診断方法を説明するフロー図である。
図１に示すように、本発明の第１及び第２の実施の形態に係る風呂戻り温度センサの異常診断方法を適用した風呂設備１０は、浴槽１１と、浴槽１１の浴水１２を加熱する際に設定温度の指令を行う浴室操作部１３と、浴室操作部１３からの指令を受けて浴水１２を加熱する風呂釜装置１４を有している。また、風呂釜装置１４は、浴槽１１の浴水１２を加熱する強制循環式風呂釜１５と、浴室操作部１３からの指令を記憶して強制循環式風呂釜１５の運転制御を行う制御手段１６とを備えている。以下、これらについて詳細に説明する。
【００１２】
強制循環式風呂釜１５は、図１に示すように、浴槽１１の側壁に形成された浴水の吸込み口１７及び吐出し口１８を接続する循環経路１９と、循環経路１９に接続された加熱手段の一例である熱交換器２０を有している。ここで、吸込み口１７と吐出し口１８は、例えば、浴槽１１の同一側壁にそれぞれ形成され、吸込み口１７は吐出し口１８よりも浴槽１１の底側に設けられている。吸込み口１７と熱交換器２０の熱交換部２８の入口側を接続する風呂戻り経路２１には循環ポンプ２２が配設され、循環ポンプ２２の上流側の風呂戻り経路２１には吸込み口１７から循環ポンプ２２により吸引された浴水１２の温度を測定する風呂戻り温度センサの一例である風呂戻りサーミスタ２３と、熱交換器２０の熱交換部２８の入口側に向かう浴水１２の流水を検知する水流スイッチ２４が配設されている。ここで、循環ポンプ２２としては、ボリュート式やカスケード式等のポンプが用いられる。また、水流スイッチ２４としては、パドル式、電磁式、超音波式、カルマン流式、サーミスタ式、水車式、羽根車式、差圧式の検知器を使用することができる。また、熱交換器２０の熱交換部２８の出口側と吐出し口１８を接続する風呂往き経路２５には、熱交換器２０で加熱された浴水１２の温度を測定する風呂往き温度センサの一例である風呂往きサーミスタ２６が設けられている。なお、風呂戻り及び風呂往きの各温度センサとしてはサーミスタ以外に測温抵抗体や熱電対が使用できる。
【００１３】
熱交換器２０は、加熱源の一例であるガス燃焼機構２７と、ガス燃焼機構２７で発生した熱で浴水１２を加熱する熱交換部２８を有している。そして、ガス燃焼機構２７にはガス点火部２９を備えたガスバーナ３０と、ガスバーナ３０に燃料ガスを供給する燃料供給管３１が設けられている。更に、燃料供給管３１には、燃料ガスの供給及び停止を行う開閉弁の一例である電磁弁３２と、電磁弁３２から供給された燃料ガスの流量調整を行うガス流量調整機構の一例である電磁比例弁３３が配設されている。
このような構成とすることにより、浴槽１１に貯留されている浴水１２を循環ポンプ２２を運転して吸込み口１７から吸引し風呂戻り経路２１を介して熱交換器２０に導入し、風呂戻りサーミスタ２３の測定結果に基づいて加熱することがでる。また、加熱された浴水１２を風呂往き経路２５内を流水させて、風呂往きサーミスタ２６で温度を測定してから吐出し口１８より浴槽１１内に排出させることができる。
【００１４】
浴室操作部１３には、浴水１２を加熱する際の設定温度を入力させたり、強制循環式風呂釜１５の運転中に設定温度の変更のために新たに設定温度を入力させて制御手段１６に伝える機能、制御手段１６との連携動作を行うための通信信号のやり取りを行う通信機能が設けられている。このような機能を有する浴室操作部１３は、例えばマイクロコンピュータを用いて構成することができる。
制御手段１６には、浴室操作部１３との連携動作のための通信を行う通信機能、浴室操作部１３からの運転指令信号を受信して強制循環式風呂釜１５の運転制御を行う運転制御部が設けられている。そして、運転制御部には、浴水１２の加熱を行いながら風呂戻りサーミスタ２３の異常を診断するサーミスタ異常診断機能が設けられている。ここで、制御手段１６は、例えばマイクロコンピュータから構成され、風呂戻りサーミスタ２３、風呂往きサーミスタ２６、水流スイッチ２４の各検知信号が入力されている。制御手段１６内には予め設定された各種運転内容に応じて、循環ポンプ２２、ガス点火部２９、電磁弁３２、電磁比例弁３３の運転及び動作を制御するプログラムが格納されている。このため、浴室操作部１３から設定温度に関する運転指令信号が制御手段１６に入力されると、運転指令信号と風呂戻りサーミスタ２３、風呂往きサーミスタ２６及び水流スイッチ２４の検知信号に基づいて、循環ポンプ２２、ガス点火部２９、電磁弁３２、電磁比例弁３３の運転及び動作が行われて強制循環式風呂釜１５の運転が開始される。また、強制循環式風呂釜１５の運転が開始されると共にサーミスタ異常診断機能の運転が開始され、強制循環式風呂釜１５の運転制御中は常に風呂戻りサーミスタ２３の異常診断が行われる。
【００１５】
次に、本発明の第１の実施の形態に係る風呂戻り温度センサの異常診断方法について、図１、図２を用いて詳細に説明する。
制御手段１６が浴室操作部１３から浴水１２を加熱する際の設定温度の指示と運転指令信号を受信して強制循環式風呂釜１５の運転を開始すると（Ｓ１）、制御手段１６ではサーミスタ異常診断機能が起動して、風呂戻りサーミスタ２３で測定した浴水１２の温度（以下、風呂戻り温度という）を風呂の基準温度としてセットすると共に、制御手段１６内に予め格納されている判定時間（例えば、５分間）の読み込みが行われる（Ｓ２）。次いで、風呂戻り温度と浴室操作部１３で設定した設定温度とを比較して風呂戻り温度が設定温度以上の場合は（Ｓ３）、浴水１２の沸き上げが終了したと判断して強制循環式風呂釜１５の沸き上げ運転を終了（正常終了）する（Ｓ４）。一方、風呂戻り温度が浴室操作部１３で設定された設定温度未満の場合は（Ｓ３）、判定時間が経過するまで予めプログラムされた方法で強制循環式風呂釜１５の運転が継続される（Ｓ５）。このとき、常時、風呂戻りサーミスタ２３で測定した風呂戻り温度と設定温度との比較が行われて、風呂戻り温度が設定温度以上になった場合は（Ｓ３）、強制循環式風呂釜１５の沸き上げ運転を終了する（Ｓ４）。
【００１６】
風呂戻り温度が設定温度未満の場合で、強制循環式風呂釜１５の運転が判定時間経過すると（Ｓ５）、風呂戻り温度と比較温度（風呂の基準温度＋１℃の温度）との比較が行われる（Ｓ６）。ここで、比較温度として風呂の基準温度より１℃高い温度を設定したのは、使用している強制循環式風呂釜１５の能力から、強制循環式風呂釜１５の運転が５分間継続された後の風呂戻り温度は、強制循環式風呂釜１５の運転が開始されたときの温度（風呂の基準温度）より１℃以上は必ず上昇することが予め確認されているためである。従って、風呂戻り温度が風呂の基準温度より１℃以上高い場合は、風呂戻りサーミスタ２３で正常に風呂戻り温度が測定できた、すなわち、風呂戻りサーミスタ２３は正常であると診断でき、第１段階の加熱が終了して第２段階の加熱が行われる（Ｓ２）。
【００１７】
第２段階の加熱が開始する前に、第１段階の加熱の終了時に測定された風呂戻り温度が風呂の基準温度としてセットされ、判定時間には制御手段１６内に格納されている判定時間が読み込み込まれる（Ｓ２）。第２段階の加熱では、風呂戻りサーミスタ２３が正常な場合はＳ２、Ｓ３、Ｓ５の操作が行われて、風呂戻り温度が設定温度以上になった時点で（Ｓ３）、強制循環式風呂釜１５の沸き上げ運転を終了する（Ｓ４）。第２段階の加熱を終了しても風呂戻り温度が設定温度未満の場合は第３段階の加熱、第３段階の加熱を終了しても風呂戻り温度が設定温度未満の場合は第４段階の加熱というように、風呂戻り温度が設定温度以上となるまで加熱が繰り返される。
【００１８】
各段階の加熱で判定時間が経過しても、風呂戻り温度＜風呂の基準温度＋１℃の場合は（Ｓ６）、風呂戻りサーミスタ２３で正常に風呂戻り温度が測定されていない可能性があると診断し、サーミスタ判定を行う処理（Ｓ７）に移行する。先ず、熱交換機２０及び循環ポンプ２２の運転が直ちに中断される。そして、熱交換機２０及び循環ポンプ２２の運転停止後、制御手段１６内に予め格納されている待ち時間（例えば２０分間）が経過するまで待機が行われる。待機している間に、浴水１２は自然対流により、浴槽１１→風呂戻り経路２１→熱交換部２８→風呂往き経路２５→浴槽１１の経路を循環する。その結果、風呂戻りサーミスタ２３、風呂往きサーミスタ２６が共に正常であれば、風呂戻り温度と風呂往きサーミスタ２６で測定した浴水の温度（以下、風呂往き温度という）とは徐々に接近し、待ち時間経過後にはそれぞれ所定温度に到達する。ここで各所定温度は、強制循環式風呂釜１５の特性把握試験から予め求めることができる。従って、待ち時間経過後の風呂往き温度と風呂戻り温度との温度差は、各所定温度の上限と下限から決まる基準温度差以下になる。ここで、２０分の待ち時間による自然対流条件下で各所定温度の上限と下限から決まる基準温度差を、例えば５℃とする。風呂往き温度と風呂戻り温度との温度差が５℃以下の場合、風呂往き温度、風呂戻り温度はそれぞれ風呂戻りサーミスタ２３、風呂往きサーミスタ２６で正常に温度が測定できた、すなわち、風呂戻りサーミスタ２３、風呂往きサーミスタ２６は正常であると診断し（Ｓ８）、循環ポンプ２２、熱交換器２０の運転を再開し、次の段階の加熱に移行する（Ｓ２）。
【００１９】
２０分の待ち時間経過後、風呂往き温度と風呂戻り温度との温度差が５℃を超える場合、風呂戻り温度、風呂往き温度はそれぞれ風呂戻りサーミスタ２３、風呂往きサーミスタ２６で正常に温度が測定されていない、すなわち、風呂戻りサーミスタ２３、風呂往きサーミスタ２６の両者又は一方が異常であると推定できる。ここで、風呂往きサーミスタ２６は熱交換機２０の過熱異常を検知するセンサとして使用しており、熱交換機２０が運転可能であれば風呂往きサーミスタ２６は正常に機能していると判定できる。このため、熱交換機２０が運転可能なことを考慮すると、風呂往き温度と風呂戻り温度との温度差が５℃を超える場合は（Ｓ８）、風呂戻りサーミスタ２３で正常に温度が測定されていない、すなわち、風呂戻りサーミスタ２３が異常であると診断する（Ｓ９）。この場合、風呂戻り温度の正確な測定ができないので、強制循環式風呂釜１５の運転を強制終了する（Ｓ１０）。
【００２０】
本発明の第２の実施の形態に係る風呂戻り温度センサの異常診断方法では、予め設定した判定時間（例えば、５分間）後、風呂戻り温度＜風呂の基準温度＋１℃となったときに、熱交換器２０の運転のみ中断し、循環ポンプ２２は熱交換器２０の運転が中断してから予め設定したポンプ駆動時間、例えば３０秒〜１分が経過するまで運転を継続することが特徴となっており、これ以外は前記した第１の実施の形態に係る風呂戻り温度センサの異常診断方法と実質的に同一である。
循環ポンプ２２の運転を予め設定したポンプ駆動時間だけ運転することにより、浴水１２は強制的に浴槽１１→風呂戻り経路２１→熱交換部２８→風呂往き経路２５→浴槽１１を循環し、熱交換部２８の残熱の影響が短時間で消失する。その結果、風呂戻り温度と風呂往き温度とは素早く接近し、短い待ち時間でそれぞれ所定温度に到達することができる。従って、循環ポンプ２２を熱交換器２０の運転が中断してから予め設定したポンプ駆動時間だけ更に運転することは、サーミスタ判定における待ち時間の短縮化が可能となる。しかし、サーミスタ判定の方法が変わることにはならないので、第２の実施の形態に係る風呂戻り温度センサの異常診断方法についての説明は省略する。なお、循環ポンプ２２を熱交換器２０の運転が中断してから更に３０秒〜１分運転することで、例えば、待ち時間を３０秒〜１分とすることができる。
【００２１】
以上、本発明の実施の形態を説明したが、本発明は、この実施の形態に限定されるものではなく、例えば、判定時間を５分としたが３分以上の範囲で任意に設定することができ、夏場や冬場等の季節に応じて判定時間を変更するようにすることも可能である。
また、風呂戻りサーミスタの異常診断方法を風呂往きサーミスタの異常診断にも適用することができる。
【００２２】
【発明の効果】
請求項１記載の風呂戻り温度センサの異常診断方法においては、強制循環式風呂釜装置の運転中、予め設定した判定時間後に風呂戻り温度センサで測定した浴水の温度の上昇が所定温度未満である場合には加熱手段及び循環ポンプの運転を中断し、予め設定した待ち時間経過後に、風呂往き経路に設けられた風呂往き温度センサで測定した浴水の温度と風呂戻り温度センサで測定した浴水の温度との温度差を求めて、温度差が予め設定した基準温度差を超えた場合は風呂戻り温度センサを異常と診断して強制循環式風呂釜装置の運転を終了させ、温度差が基準温度差以下の場合は風呂戻り温度センサを正常と判断して加熱手段及び循環ポンプの運転を再開するので、強制循環式風呂釜装置の運転中に確実に風呂戻り温度センサの異常を診断でき、浴槽の浴水が高温になることを防止できる。
【００２３】
請求項２記載の風呂戻り温度センサの異常診断方法においては、強制循環式風呂釜装置の運転中、予め設定した判定時間後に風呂戻り温度センサで測定した浴水の温度の上昇が所定温度未満である場合には加熱手段の運転を中断し、循環ポンプを予め設定したポンプ駆動時間運転しながら予め設定した待ち時間経過後に、風呂往き経路に設けられた風呂往き温度センサで測定した浴水の温度と風呂戻り温度センサで測定した浴水の温度との温度差を求めて、温度差が予め設定した基準温度差を超えた場合は風呂戻り温度センサを異常と診断して強制循環式風呂釜装置の運転を終了させ、温度差が基準温度差以下の場合は風呂戻り温度センサを正常と判断して加熱手段及び循環ポンプの運転を再開するので、強制的に循環ポンプで浴水を循環することで素早く加熱手段の残熱を除去して風呂往き温度センサで測定される浴水の温度と風呂戻り温度センサで測定される浴水の温度の均一化を図ることができ、風呂戻り温度センサの異常の診断を短時間に行うことが可能となる。
【図面の簡単な説明】
【図１】本発明の第１及び第２の実施の形態に係る風呂戻り温度センサの異常診断方法を適用した風呂設備の全体構成ブロック図である。
【図２】本発明の第１の実施の形態に係る風呂戻り温度センサの異常診断方法を説明するフロー図である。
【符号の説明】
１０：風呂設備、１１：浴槽、１２：浴水、１３：浴室操作部、１４：風呂釜装置、１５：強制循環式風呂釜、１６：制御手段、１７：吸込み口、１８：吐出し口、１９：循環経路、２０：熱交換器、２１：風呂戻り経路、２２：循環ポンプ、２３：風呂戻りサーミスタ、２４：水流スイッチ、２５：風呂往き経路、２６：風呂往きサーミスタ、２７：ガス燃焼機構、２８：熱交換部、２９：ガス点火部、３０：ガスバーナ、３１：燃料供給管、３２：電磁弁、３３：電磁比例弁
【図１】
0003810306.tif 000002
【図２】
0003810306.tif 000003